(57)【要約】【課題】発煙等のトラブルを発生することなく動作を停止することができる保護回路を備えたプラズマディスプレイ装置を提供する。【解決手段】維持パルスを発生する維持パルス発生回路９０を有し維持電極を駆動する維持電極駆動部４６と、維持パルスを発生する維持パルス発生回路６０と走査パルスを発生する走査パルス発生回路７０とを有し走査電極を駆動する走査電極駆動部４４とを備え、走査パルス発生回路７０は出力電圧を切り替えるためのスイッチング回路８０とスイッチング回路８０を制御する走査制御回路８５と走査制御回路８５に印加する走査制御電源ＶＺと走査制御電源ＶＺの電圧が所定の電圧以下に低下したことを検出する異常電圧検出回路７４とを備え、異常電圧検出回路７４が電圧の低下を検出したとき、維持電極駆動部４６および走査電極駆動部４４それぞれの維持パルス発生回路９０，６０は動作を停止するように構成した。【選択図】図４
2007133290.tif 000002
【特許請求の範囲】
【請求項１】
走査電極と維持電極とをそれぞれ複数有するプラズマディスプレイパネルを用いたプラズマディスプレイ装置であって、
維持パルスを発生する維持パルス発生回路を有し、前記維持電極を駆動する維持電極駆動部と、
維持パルスを発生する維持パルス発生回路と走査パルスを発生する走査パルス発生回路とを有し、前記走査電極を駆動する走査電極駆動部とを備え、
前記走査パルス発生回路は、出力電圧を切り替えるためのスイッチング回路と、前記スイッチング回路を制御する走査制御回路と、前記走査制御回路に印加する走査制御電源と、前記走査制御電源の電圧が所定の電圧以下に低下したことを検出する異常電圧検出回路とを備え、
前記異常電圧検出回路が電圧の低下を検出したとき、前記維持電極駆動部および前記走査電極駆動部それぞれの維持パルス発生回路は動作を停止するように構成したことを特徴とするプラズマディスプレイ装置。
【請求項２】
前記所定の電圧は、前記走査制御回路を正常に制御可能な電圧であることを特徴とする請求項１に記載のプラズマディスプレイ装置。
【請求項３】
前記走査パルス発生回路はモノリシックＩＣを用いて構成したことを特徴とする請求項１に記載のプラズマディスプレイ装置。
【請求項４】
前記異常電圧検出回路は、
前記走査制御電源の電圧を分圧する分圧回路と、
分圧された電圧をリファレンス入力端子に入力されたシャントレギュレータと、
前記シャントレギュレータに直列に発光ダイオードを接続されたフォトカプラとを用いて構成したことを特徴とする請求項１に記載のプラズマディスプレイ装置。
【発明の詳細な説明】
【技術分野】
【０００１】
プラズマディスプレイパネルを用いた画像表示装置であるプラズマディスプレイ装置に関する。
【背景技術】
【０００２】
プラズマディスプレイパネル（以下、「パネル」と略記する）は、大画面、薄型、軽量であることを特徴とする視認性に優れた表示デバイスである。このパネルを用いたプラズマディスプレイ装置を安全に使用するために、例えば部品の破壊等の異常が万一発生した場合にその異常を検出しプラズマディスプレイ装置の電源を遮断する等、様々な保護回路が提案されている。これら保護回路を備えたプラズマディスプレイ装置として、例えば特許文献１には、走査パルス発生回路に印加する電源電圧の異常を検出してパネルの駆動回路の動作を停止するプラズマディスプレイ装置が提案されている。
【特許文献１】特開２００４−３０９６０６号公報
【発明の開示】
【発明が解決しようとする課題】
【０００３】
このような保護回路を備えることにより、走査パルス発生回路に異常が発生した場合にプラズマディスプレイ装置を停止させることは可能である。しかしながら、走査パルス発生回路の異常のモードによっては、走査パルス発生回路に用いられているＩＣのパッケージから発煙する等のトラブルが発生することがあった。
【０００４】
本発明はこれらの課題に鑑みなされたものであり、万一、走査パルス発生回路に異常が発生しても、発煙等のトラブルを発生することなく動作を停止することができる保護回路を備えたプラズマディスプレイ装置を提供することを目的とする。
【課題を解決するための手段】
【０００５】
本発明は、走査電極と維持電極とをそれぞれ複数有するプラズマディスプレイパネルを用いたプラズマディスプレイ装置であって、維持パルスを発生する維持パルス発生回路を有し維持電極を駆動する維持電極駆動部と、維持パルスを発生する維持パルス発生回路と走査パルスを発生する走査パルス発生回路とを有し走査電極を駆動する走査電極駆動部とを備え、走査パルス発生回路は出力電圧を切り替えるためのスイッチング回路とスイッチング回路を制御する走査制御回路と走査制御回路に印加する走査制御電源と走査制御電源の電圧が所定の電圧以下に低下したことを検出する異常電圧検出回路とを備え、異常電圧検出回路が電圧の低下を検出したとき、維持電極駆動部および走査電極駆動部それぞれの維持パルス発生回路は動作を停止するように構成したことを特徴とする。この構成により、万一、走査パルス発生回路に異常が発生しても、発煙等のトラブルを発生することなく動作を停止することができる保護回路を備えたプラズマディスプレイ装置を提供することができる。
【０００６】
また本発明のプラズマディスプレイ装置は、所定の電圧が、走査制御回路を正常に制御可能な電圧であることが望ましい。この構成によっても、万一、走査パルス発生回路に異常が発生しても、ＩＣのパッケージから発煙することなく動作を停止することができる保護回路を備えたプラズマディスプレイ装置を提供することができる。
【０００７】
また本発明のプラズマディスプレイ装置の走査パルス発生回路はモノリシックＩＣを用いて構成してもよい。この構成により、走査パルス発生回路をコンパクトにまとめることができ実装面積を小さくすることができる。
【０００８】
また本発明のプラズマディスプレイ装置の異常電圧検出回路は、走査制御電源の電圧を分圧する分圧回路と、分圧された電圧をリファレンス入力端子に入力されたシャントレギュレータと、シャントレギュレータに直列に発光ダイオードを接続されたフォトカプラとを用いて構成してもよい。この構成により、比較的少ない部品点数で異常電圧検出回路を構成することができる。
【発明の効果】
【０００９】
本発明によれば、万一、走査パルス発生回路に異常が発生しても、発煙等のトラブルを発生することなく動作を停止することができる保護回路を備えたプラズマディスプレイ装置を提供することが可能となる。
【発明を実施するための最良の形態】
【００１０】
以下、本発明の実施の形態におけるプラズマディスプレイ装置について、図面を用いて説明する。
【００１１】
（実施の形態）
図１は、本発明の実施の形態におけるプラズマディスプレイ装置に用いるパネルの構造を示す分解斜視図である。パネル１０は、ガラス製の前面基板２１と背面基板３１とを対向配置して、その間に多数の放電セルを形成するように構成されている。前面基板２１上には表示電極対を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には絶縁体層３３で覆われた複数のデータ電極３２が設けられ、絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面基板２１と背面基板３１とが対向配置されており、電極の交差するそれぞれの位置に放電セルが形成されている。放電セルには放電ガスとして、例えばネオンとキセノンの混合ガスが封入されている。なお、パネルの構造は上述したものに限られるわけではなく、例えば井桁状の隔壁のかわりにストライプ状の隔壁を備えたものであってもよい。
【００１２】
図２は本発明の実施の形態に用いるパネルの電極配列図である。行方向にｎ本の走査電極２２１〜２２ｎ（図１の走査電極２２）およびｎ本の維持電極２３１〜２３ｎ（図１の維持電極２３）が配列され、列方向にｍ本のデータ電極３２１〜３２ｍ（図１のデータ電極３２）が配列されている。そして、１対の走査電極２２ｉおよび維持電極２３ｉ（ｉ＝１〜ｎ）と１つのデータ電極３２ｊ（ｊ＝１〜ｍ）とが交差した部分に放電セルが形成され、放電セルは放電空間内にｍ×ｎ個形成されている。
【００１３】
図３は本発明の実施の形態におけるプラズマディスプレイ装置の回路ブロック図である。プラズマディスプレイ装置１００は、パネル１０、画像信号処理部４２、データ電極駆動部４３、走査電極駆動部４４、維持電極駆動部４６、タイミング発生部４８および各回路ブロックに必要な電源を供給する電源部（図示せず）を備えている。
【００１４】
画像信号処理部４２は、画像信号ｓｉｇを、各放電セルのサブフィールド毎の発光・非発光を示す画像データに変換する。データ電極駆動部４３はサブフィールド毎の画像データを各データ電極３２に対応する信号に変換し各データ電極３２を駆動する。走査電極駆動部４４は走査電極２２に所定の駆動電圧波形を供給し、維持電極駆動部４６は維持電極２３に所定の駆動電圧波形を供給する。タイミング発生部４８は水平同期信号Ｈおよび垂直同期信号Ｖをもとにして各電極駆動部の駆動電圧波形を制御する各種のタイミング信号を発生し、各電極駆動部へ供給する。
【００１５】
図４は本発明の実施の形態におけるプラズマディスプレイ装置１００の走査電極駆動部４４および維持電極駆動部４６の構成を示す回路図である。走査電極駆動部４４は、初期化電圧発生回路５０と、走査電極側維持パルス発生回路（以下、単に「維持パルス発生回路」と称する）６０と、走査パルス発生回路７０とを備え、走査パルス発生回路７０のそれぞれの出力はパネル１０の走査電極２２１〜２２ｎのそれぞれに接続されている。また、維持電極駆動部４６は、維持電極側維持パルス発生回路（以下、単に「維持パルス発生回路」と称する）９０およびＶｅ電圧印加回路９５を備え、パネル１０の維持電極２３１〜２３ｎのそれぞれに共通に接続されている。
【００１６】
走査電極駆動部４４の初期化電圧発生回路５０は、ミラー積分回路５１、５２を備え、ミラー積分回路５１は走査パルス発生回路７０の基準電位Ａをランプ状に上昇させ、ミラー積分回路５２は基準電位Ａをランプ状に降下させる。維持パルス発生回路６０は、スイッチ６１、６２を備え、スイッチ６１は走査パルス発生回路７０の基準電位Ａを維持パルス電圧Ｖｓに接続し、スイッチ６２は基準電位Ａを接地電位に接続する。なお維持パルス発生回路６０には電力回収回路６３をさらに備えていてもよい。
【００１７】
走査パルス発生回路７０は基準電位Ａを負の走査パルス電圧Ｖａに接続するためのスイッチ７２と、基準電位Ａに対して電圧Ｖｃを重畳させる電源ＶＣと、ｎ本の走査電極２２１〜２２ｎのそれぞれに走査パルスを印加するためのｎ個のスイッチング回路８０１〜８０ｎと、スイッチング回路８０１〜８０ｎを制御するための走査制御回路８５１〜８５ｎと、走査制御回路８５１〜８５ｎに電圧５Ｖを印加する走査制御電源ＶＺと、走査制御電源ＶＺの電圧異常を検出する異常電圧検出回路７４とを備えている。そして、それぞれのスイッチング回路８０ｉは、直列に接続されたスイッチ８１ｉおよびスイッチ８２ｉと、スイッチ８１ｉおよびスイッチ８２ｉのそれぞれに並列に接続されたダイオード８３ｉおよびダイオード８４ｉとを備えている。そしてそれらスイッチング回路８０１〜８０ｎのそれぞれは電源ＶＣに並列に接続され、走査制御回路８５１〜８５ｎのそれぞれは走査制御電源ＶＺに並列に接続されている。
【００１８】
維持電極駆動部４６のＶｅ電圧印加回路９５は、維持電極２３１〜２３ｎに電圧Ｖｅを供給するためのスイッチ９６を備えている。また維持パルス発生回路９０は、維持パルス発生回路６０と同様に、スイッチ９１、９２を備え、スイッチ９１は維持電極２３１〜２３ｎを維持パルス電圧Ｖｓに接続し、スイッチ９２は維持電極２３１〜２３ｎを接地電位に接続する。なお維持パルス発生回路９０には電力回収回路９３をさらに備えていてもよい。
【００１９】
ここで、走査電極駆動部４４のスイッチング回路８０１〜８０ｎおよび走査制御回路８５１〜８５ｎは複数ブロック毎にまとめられＩＣ化されている。以下、このＩＣを「走査ＩＣ」と呼ぶ。図５は、本発明の実施の形態におけるプラズマディスプレイ装置の複数の走査ＩＣとその接続を示す模式図である。本実施の形態においては、スイッチング回路８０ｉおよび走査制御回路８５ｉをｐ回路分まとめて１つの走査ＩＣ８８とし、この走査ＩＣ８８をｑ個使用して、ｎ本の走査電極のそれぞれに走査パルスを供給している。そしてそれぞれの走査ＩＣ８８１〜８８ｑには、それら走査ＩＣの基準電位、すなわち走査パルス発生回路７０の基準電位Ａに対して正の電圧Ｖｃが電源ＶＣから印加され、さらに走査ＩＣ８８１〜８８ｑを制御するための電圧５Ｖが走査制御電源ＶＺから印加されている。このように多数のスイッチング回路８０１〜８０ｎおよび走査制御回路８５１〜８５ｎをＩＣ化することにより回路をコンパクトにまとめることができ実装面積も小さくなる。そしてＩＣがモノリシックＩＣであれば実装面積もさらに小さくなるので、より望ましい。
【００２０】
異常電圧検出回路７４はコンパレータ等を用いて構成することもできるが、本実施の形態においては、回路を簡素化するために、シャントレギュレータとフォトカプラとを用いて構成している。図６は本発明の実施の形態におけるプラズマディスプレイ装置１００の異常電圧検出回路７４の構成を示す回路図である。異常電圧検出回路７４は走査ＩＣ８８１〜８８ｑに印加されている走査制御電源ＶＺの電圧を監視し、電圧が所定の電圧Ｖｔｈよりも小さくなったことを検出して、異常検出信号ＳＯＳを出力する。
【００２１】
走査制御電源ＶＺの電圧は抵抗Ｒ１１とＲ１２とで構成された分圧回路で分圧されてシャントレギュレータＱ１１のリファレンス入力端子に入力されている。シャントレギュレータＱ１１のアノード側は基準電位Ａに接続され、カソード側はフォトカプラＱ１２の発光ダイオードのカソードに接続されている。そしてフォトカプラＱ１２の発光ダイオードのアノードは抵抗Ｒ１３を介して走査制御電源ＶＺに接続され、さらに発光ダイオードに並列に抵抗Ｒ１４が接続されている。また、フォトカプラＱ１２のフォトトランジスタの出力は異常検出信号ＳＯＳとしてタイミング発生部４８に出力される。このように、走査制御電源ＶＺの電圧を分圧する分圧回路と、分圧された電圧をリファレンス入力端子に入力されたシャントレギュレータと、シャントレギュレータに直列に発光ダイオードを接続されたフォトカプラとを用いて比較的少ない部品点数で異常電圧検出回路７４を構成することができる。なお、異常電圧検出回路７４の動作については後述する。
【００２２】
次に、パネルを駆動する方法について説明する。本実施の形態においては、画像信号に応じた階調を表示する方法としていわゆるサブフィールド法を用いている。サブフィールド法は１フィールド期間を表示輝度の異なる複数のサブフィールドに分割し、これらのサブフィールドの組合せによって階調を表示する方法である。各サブフィールドは初期化期間、書込み期間、維持期間を有する。図７は本発明の実施の形態においてパネルの各電極に印加する駆動電圧波形を示す図であり、図７には２つのサブフィールドに対する駆動電圧波形を示しているが、他のサブフィールドにおける駆動波形もほぼ同様である。
【００２３】
サブフィールドの初期化期間では、維持電極駆動部４６のスイッチ９２をオンにして維持電極２３１〜２３ｎに０Ｖを印加するとともに、走査電極駆動部４４のミラー積分回路５１を用いて電圧Ｖｉ１から電圧Ｖｉ２に向かって緩やかに上昇するランプ電圧を基準電位Ａに印加する。このとき、走査パルス発生回路７０のスイッチング回路８０１〜８０ｎのスイッチ８１１〜８１ｎはオフ、スイッチ８２１〜８２ｎはオンにしておく。すると電圧Ｖｉ１から電圧Ｖｉ２に向かって緩やかに上昇するランプ電圧が走査電極２２１〜２２ｎに印加される。その後、維持電極駆動部４６のスイッチ９２をオフ、スイッチ９６をオンにして維持電極２３１〜２３ｎに電圧Ｖｅを印加するとともに、走査電極駆動部４４のミラー積分回路５２を用いて電圧Ｖｉ３から電圧Ｖｉ４に向かって緩やかに下降するランプ電圧を走査電極２２１〜２２ｎに印加する。すると各放電セルで微弱な初期化放電が発生し、続く書込み動作に必要な壁電荷を各電極上に形成する。なお、初期化期間の動作としては、図７の第２サブフィールドの初期化期間に示したように、走査電極２２１〜２２ｎに対して緩やかに下降するランプ電圧を印加するだけでもよい。
【００２４】
続く書込み期間では、まず、走査電極駆動部４４の走査パルス発生回路７０のスイッチ７２をオンにして走査パルス発生回路７０の基準電位Ａを電圧Ｖａにするとともに、スイッチング回路８０１〜８０ｎのスイッチ８１１〜８１ｎをオン、スイッチ８２１〜８２ｎをオフにして走査電極２２１〜２２ｎに電圧（Ｖｃ＋Ｖａ）を印加する。次に、１行目の走査電極２２１に対応するスイッチング回路８０１のスイッチ８１１をオフ、スイッチ８２１をオンにして１行目の走査電極２２１に負の走査パルスＶａを印加する。このとき、発光すべき放電セルに対応するデータ電極３２にデータ電極駆動部４３を用いて正の書込みパルスＶｄを印加する。すると走査パルスＶａと書込みパルスＶｄとが同時に印加された１行目の放電セルでは書込み放電が発生し、走査電極２２１および維持電極２３１に壁電荷を蓄積する書込み動作が行われる。
【００２５】
次に、スイッチング回路８０１のスイッチ８１１をオン、スイッチ８２１をオフに戻し、２行目の走査電極２２２に対応するスイッチング回路８０２のスイッチ８１２をオフ、スイッチ８２２をオンにして２行目の走査電極２２２に負の走査パルスＶａを印加する。このとき、発光すべき放電セルに対応するデータ電極３２に書込みパルスＶｄを印加する。すると走査パルスＶａと書込みパルスＶｄとが同時に印加された２行目の放電セルでは書込み放電が発生し、書込み動作が行われる。以上の書込み動作をｎ行目の放電セルに至るまで繰り返し、発光すべき放電セルに対して選択的に書込み放電を発生させ壁電荷を形成する。
【００２６】
続く維持期間では、維持電極駆動部４６のスイッチ９６をオフに、スイッチ９２をオンにして維持電極２３に０Ｖを印加する。そして走査電極駆動部４４のスイッチング回路８０１〜８０ｎのスイッチ８１１〜８１ｎをオフ、スイッチ８２１〜８２ｎをオンにし、スイッチ７２をオフに、スイッチ６１をオンにして、走査電極２２１〜２２ｎに電圧Ｖｓを印加する。こうして走査電極２２１〜２２ｎに維持パルスＶｓを印加すると、書込み放電を起こした放電セルでは維持放電が起こり発光する。
【００２７】
次に走査電極駆動部４４のスイッチ６１をオフに、スイッチ６２をオンにして走査電極２２１〜２２ｎに電圧０Ｖを印加するとともに、維持電極駆動部４６のスイッチ９２をオフに、スイッチ９１をオンにして維持電極２３１〜２３ｎに維持パルスＶｓを印加する。すると維持放電を起こした放電セルでは再び維持放電が起こり発光する。以降同様に、走査電極２２１〜２２ｎと維持電極２３１〜２３ｎとに交互に必要な回数の維持パルスを印加して、放電セルを所定の輝度で発光させる。
【００２８】
続くサブフィールドにおいても上述したサブフィールドの動作と同様の動作を繰り返すことにより放電セルを発光させ、画像を表示している。
【００２９】
このような動作中に、何らかの理由で万一走査ＩＣ８８１〜８８ｑに異常が発生した場合、本実施の形態においては、異常を検出してプラズマディスプレイ装置１００の動作を停止させるための保護回路が設けられている。具体的には以下のように動作する。
【００３０】
走査制御電源ＶＺが正常な電圧であれば、シャントレギュレータＱ１１のリファレンス入力端子に入力される電圧がシャントレギュレータＱ１１内部の基準電圧よりも高く、シャントレギュレータＱ１１のカソード電圧が低下するのでフォトカプラＱ１２の発光ダイオードが発光する。そのためフォトカプラＱ１２の受光側トランジスタがオンして異常検出信号ＳＯＳはローレベルとなる。ところが、１つの走査ＩＣ８８ｘに異常が発生し、走査制御電源ＶＺが短絡され、走査制御電源ＶＺの電圧が所定の電圧Ｖｔｈよりも低くなると、シャントレギュレータＱ１１のリファレンス入力端子の電圧が内部基準電圧よりも低くなってシャントレギュレータＱ１１のカソード電圧が上昇しフォトカプラＱ１２の発光ダイオードの発光が停止する。すると、フォトカプラＱ１２の受光側トランジスタがオフするので異常検出信号ＳＯＳはハイレベルとなる。異常検出信号ＳＯＳがハイレベルとなると、タイミング発生部４８は走査電極駆動部４４の維持パルス発生回路６０および維持電極駆動部４６の維持パルス発生回路９０の動作を停止させる等の保護動作を行う。
【００３１】
ここで、所定の電圧Ｖｔｈは、走査パルス発生回路７０を正常に制御可能な電圧であり、走査制御電源ＶＺの電圧が低下して走査ＩＣ８８１〜８８ｑが異常動作をはじめる電圧より高く設定されている。すなわち、異常検出信号ＳＯＳがローレベルの間は走査ＩＣ８８１〜８８ｑは正常に動作することができる。したがって、走査ＩＣ８８１〜８８ｑのうちの１つの走査ＩＣ８８ｘに異常が発生し、走査制御電源ＶＺの電圧が低下しはじめた場合であっても、他の正常な走査ＩＣ８８ｋ（ｋ≠ｘ）が正常に動作している間に異常電圧検出回路７４は異常検出信号ＳＯＳをタイミング発生部４８に出力する。そしてタイミング発生部４８は維持パルスを停止させる等して、プラズマディスプレイ装置１００の動作を停止させる。なお、異常電圧検出回路７４が走査制御電源ＶＺの電圧の低下を検出した後、維持パルスを停止するまでの時間は短く設定されていることが重要である。
【００３２】
次に、上述した動作により走査ＩＣ８８１〜８８ｑの発煙が押さえられる理由について説明する。
【００３３】
まず、走査ＩＣ８８１〜８８ｑの発煙のメカニズムについて説明する。図８は、走査ＩＣの発煙のメカニズムを説明するための図である。スイッチング回路８０１〜８０ｎのうちの１つの出力端子が短絡する等して１つの走査ＩＣ８８ｘが破壊された場合、その破壊モードによっては走査ＩＣ８８ｘの走査制御回路８５も同時に破壊され、電源ラインを短絡して走査制御電源ＶＺの電圧が低下することがある。走査制御電源ＶＺの電圧は破壊されていない他の走査ＩＣ８８ｋにも共通に供給されているので、破壊されていない走査ＩＣ８８ｋの走査制御回路８５に印加されている電圧も低下する。すると正常な走査ＩＣ８８ｋも動作しなくなりスイッチング回路８０のスイッチ８１、８２がともにオフとなる。仮にこの状態で維持電極２３１〜２３ｎに維持パルスが印加されると、走査電極２２１〜２２ｎと維持電極２３１〜２３ｎとの間の電極間容量を介して走査ＩＣ８８ｋの出力に維持パルス電圧Ｖｓが印加される。すると走査ＩＣ８８ｋのダイオード８３を介して電流が電源ＶＣの電源ラインに逆流することになる。そして破壊されてインピーダンスの低下した走査ＩＣ８８ｘにパネル全体の電流が集中して流れ、過剰な電流が集中した走査ＩＣ８８ｘは急激に温度上昇し、このときの温度上昇が大きすぎると走査ＩＣ８８ｘのパッケージが焦げて発煙に至る。
【００３４】
ところが本実施の形態におけるプラズマディスプレイ装置１００においては、走査ＩＣ８８ｘが破壊された場合、異常電圧検出回路７４は走査制御電源ＶＺの電圧の監視し、他の走査ＩＣ８８ｋが正常に動作している間に走査制御電源ＶＺの電圧の低下を検出し異常検出信号ＳＯＳを出力する。するとタイミング発生部４８は維持パルス発生回路６０、９０の維持パルスを停止させる等して、プラズマディスプレイ装置１００の動作を停止させる。本実施の形態においては異常電圧検出回路７４が走査制御電源ＶＺの電圧の低下を検出した後、遅くとも２５μｓ以内に維持パルスを停止するように設定している。そしてその後、パネルの電極には電圧が印加されないので、走査制御電源ＶＺの電圧が低下し、他の走査ＩＣ８８ｋが正常に動作しなくなったとしても、破壊された走査ＩＣ８８ｘに異常電流が集中して流れることはなく、パッケージが焦げて発煙に至ることもない。
【００３５】
以上のように、本実施の形態におけるプラズマディスプレイ装置１００は、維持パルスを発生する維持パルス発生回路６０、９０と、走査パルスを発生する走査パルス発生回路７０とを備え、走査パルス発生回路７０は、出力電圧を電圧Ｖａまたは電圧（Ｖａ＋Ｖｃ）に切り替えるためのスイッチング回路８０１〜８０ｎと、スイッチング回路８０１〜８０ｎを制御するための走査制御回路８５１〜８５ｎと、走査制御回路８５１〜８５ｎに印加する走査制御電源ＶＺと、走査制御電源ＶＺの電圧が所定の電圧以下に低下したことを検出する異常電圧検出回路７４とを備え、異常電圧検出回路７４が電圧の低下を検出したとき維持パルス発生回路６０、９０は維持パルスを停止するので、万一、走査パルス発生回路に異常が発生しても、ＩＣのパッケージから発煙することなく動作を停止することができる。
【００３６】
なお、本実施の形態においては、シャントレギュレータとフォトカプラを用いた異常電圧検出回路を示したが、異常電圧検出回路の回路構成はこれに限られるものではなく、走査ＩＣ８８が正常に動作している間に走査制御電源ＶＺの電圧の低下を検出して、維持パルス発生回路６０、９０の維持パルスを停止することができればよい。
【００３７】
また、本実施の形態においては走査制御回路８５の走査制御電源ＶＺの電圧異常を検出する異常電圧検出回路７４について説明したが、さらに、電源ＶＣの電圧異常を検出する異常電圧検出回路を併用するとさらに効果的である。
【００３８】
また、走査ＩＣ８８が発煙をはじめるまでの時間を遅くするためには、例えばＩＣ製造時におけるワイヤボンディングのワイヤの本数を増やす等して、走査ＩＣのワイヤ溶断の時間を遅らせることも有効である。
【産業上の利用可能性】
【００３９】
本発明は、万一、走査パルス発生回路に異常が発生しても、発煙等のトラブルを発生することなく動作を停止することができるので、保護回路を備えたプラズマディスプレイ装置として有用である。
【図面の簡単な説明】
【００４０】
【図１】本発明の実施の形態におけるプラズマディスプレイ装置に用いるパネルの構造を示す分解斜視図
【図２】同パネルの電極配列図
【図３】本発明の実施の形態におけるプラズマディスプレイ装置の回路ブロック図
【図４】同プラズマディスプレイ装置の走査電極駆動部および維持電極駆動部の構成を示す回路図
【図５】同プラズマディスプレイ装置の複数の走査ＩＣとその接続を示す模式図
【図６】同プラズマディスプレイ装置の異常電圧検出回路の構成を示す回路図
【図７】本発明の実施の形態においてパネルの各電極に印加する駆動電圧波形を示す図
【図８】走査ＩＣの発煙のメカニズムを説明するための図
【符号の説明】
【００４１】
１０    パネル
２２    走査電極
２３    維持電極
３２    データ電極
４２    画像信号処理部
４３    データ電極駆動部
４４    走査電極駆動部
４６    維持電極駆動部
４８    タイミング発生部
５０    初期化電圧発生回路
５１，５２    ミラー積分回路
６０，９０    維持パルス発生回路
６１，６２，７２，８１，８２，９１，９２，９６    スイッチ
６３，９３    電力回収回路
７０    走査パルス発生回路
７４    異常電圧検出回路
８０    スイッチング回路
８３，８４    ダイオード
８５    走査制御回路
９５    Ｖｅ電圧印加回路
【図１】
2007133290.tif 000003
【図２】
2007133290.tif 000004
【図３】
2007133290.tif 000005
【図４】
2007133290.tif 000006
【図５】
2007133290.tif 000007
【図６】
2007133290.tif 000008
【図７】
2007133290.tif 000009
【図８】
2007133290.tif 000010